(57)【要約】【課題】リュックサックの上下方向に備えられる帯状体と、リュックサックの左右方向に備えられる帯状体とを、前者の帯状体のバックルからの引き出し寸法を調整可能とした状態で、単一のバックルによってつなぎ合わせ可能にする。【解決手段】帯状体Ｗを通す上部通し部１と、下部通し部２と、左右通し部４、５とを備えると共に、上部通し部１と下部通し部２とがそれぞれ、帯状体Ｗの掛け回し部３によって区分され、かつ、バックルＧの裏面６側から入れ込まれてこの掛け回し部３に掛け回すようにして再びバックルＧの裏面６側から引き出される帯状体Ｗの引き出し寸法を調整可能とした状態でこのように挿通された帯状体Ｗへの留め付けなすように構成されている。【選択図】図１
2006334213.tif 000002
【特許請求の範囲】
【請求項１】
帯状体を通す上部通し部と、下部通し部と、左右通し部とを備えると共に、
上部通し部と下部通し部とがそれぞれ、帯状体の掛け回し部によって区分され、かつ、バックルの裏面側から入れ込まれてこの掛け回し部に掛け回すようにして再びバックルの裏面側から引き出される帯状体の引き出し寸法を調整可能とした状態でこのように挿通された帯状体への留め付けなすように構成されていることを特徴とするリュックサック用バックル。
【請求項２】
左右通し部の双方又はいずれか一方が、帯状体の掛け回し部によって区分され、かつ、バックルの裏面側から入れ込まれてこの掛け回し部に掛け回すようにして再びバックルの裏面側から引き出される帯状体の引き出し寸法を調整可能とした状態でこのように挿通された帯状体への留め付けなすように構成されていることを特徴とする請求項１記載のリュックサック用バックル。
【請求項３】
請求項１又は請求項２記載のバックルを、
背負いベルトを構成する、上端をリュックサック本体の上部に止着させて下方に延びる上部帯状体を上部通し部に通し、
前記背負いベルトを構成する、下端をリュックサック本体の下部に止着させて上方に延びる下部帯状体を下部通し部に通し、
かつ、一対の背負いベルト間に亘るストラップとなる帯状体を左右通し部に通すようにして備えていることを特徴とするリュックサック。
【請求項４】
背負いベルトが、パッド上端をリュックサック本体の上部に止着させたショルダーパッドを有しており、
このショルダーパッドの前面にバックルを配させていると共に、
このように配されたバックルに上部帯状体と下部帯状体とを通して構成された一対の背負いベルトを備えていることを特徴とする請求項３記載のリュックサック。
【発明の詳細な説明】
【技術分野】
【０００１】
この発明は、リュックサックに用いられて、かかるリュックサックが備える各種の帯状体同士を、このバックルを介してつなぎ合わせるバックル、および、これを利用したリュックサックに関する。
【背景技術】
【０００２】
リュックサックにあっては、その各所に様々な帯状体（典型的には織物製テープ）が使用されている。
【０００３】
これらの帯状体には、リュックサックの上下方向に長さ方向を沿わせるようにした向きで備えられるものと、リュックサックの左右方向に長さ方向を沿わせるようにした向きで備えられるものとがある。
【０００４】
典型的には、背負いベルト（ショルダーストラップなどと称される。）にあっては、上端をリュックサック本体の上部に止着させて下方に延びる上部帯状体と、下端をリュックサック本体の下部に止着させて上方に延びる下部帯状体と、パッド上端をリュックサック本体の上部に止着させたショルダーパッドとから構成されたものがある。
【０００５】
このような背負いベルトにあっては、従来、ショルダーパッドの表面に備え付けられた第一バックルに上部帯状体を引き出し寸法を調整可能に留め付けさせ、かつ、ショルダーパッドの表面に備え付けられた第二バックルに下部帯状体を引き出し寸法を調整可能に留め付けさせていた。第一バックルからの上部帯状体の引き出し寸法を変えればリュックサック本体の前傾調整ができる。第二バックルからの下部帯状体の引き出し寸法を変えれば背負いベルトの長さ調整ができる。また、リュックサックの中には、一対の背負いベルト間に亘るストラップ（チェストストラップ、ウエストストラップなど）を備えたものがあり、こうしたものにあっては、前記第一バックルと第二バックルとの間にストラップとなる帯状体を留める第三バックルをさらに備えているものがある。
【発明の開示】
【発明が解決しようとする課題】
【０００６】
この発明が解決しようとする主たる問題点は、バックルにあっては、リュックサックを構成する、リュックサックの上下方向に長さ方向を沿わせるようにした向きで備えられる帯状体と、リュックサックの左右方向に長さ方向を沿わせるようにした向きで備えられる帯状体とを、前者の帯状体のバックルからの引き出し寸法を調整可能とした状態で、単一のバックルによってつなぎ合わせ可能にする点にある。
【０００７】
また、リュックサックにあっては、背負いベルトを構成する上部帯状体と、下部帯状体と、一対の背負いベルト間に亘るストラップとなる帯状体とを、上部帯状体および下部帯状体のバックルからの引き出し寸法を調整可能とした状態で、単一のバックルによってつなぎ合わせてなる背負いベルトおよび前記ストラップを備えたリュックサックを提供する点にある。
【課題を解決するための手段】
【０００８】
前記問題点を解決するために、この発明にあっては、リュックサック用バックルを、
帯状体を通す上部通し部と、下部通し部と、左右通し部とを備えると共に、
上部通し部と下部通し部とがそれぞれ、帯状体の掛け回し部によって区分され、かつ、バックルの裏面側から入れ込まれてこの掛け回し部に掛け回すようにして再びバックルの裏面側から引き出される帯状体の引き出し寸法を調整可能とした状態でこのように挿通された帯状体への留め付けなすように構成されているものとした。
【０００９】
かかる構成によれば、リュックサックの上下方向に長さ方向を沿わせるようにした向きでこのリュックサックに備えられる二つの独立した帯状体をバックルを介してバックルからの引き出し寸法、つまり、バックルによる留め付け位置調整可能につなぎ合わせることができると共に、リュックサックの左右方向に長さ方向を沿わせるようにした向きでこのリュックサックに備えられる帯状体をバックルを介してリュックサックの上下方向に長さ方向を沿わせるようにした向きで備えられる帯状体につなぎ合わせることができる。
【００１０】
前記左右通し部の双方又はいずれか一方を、帯状体の掛け回し部によって区分され、かつ、バックルの裏面側から入れ込まれてこの掛け回し部に掛け回すようにして再びバックルの裏面側から引き出される帯状体の引き出し寸法を調整可能とした状態でこのように挿通された帯状体への留め付けなすように構成させておくこともある。
【００１１】
このようにした場合、バックルを介してつなぎ合わされてリュックサックの左右方向に長さ方向を沿わせる向きでリュックサックに備えられた帯状体に対する、バックルの留め付け位置を必要に応じて調整可能とすることができる。
【００１２】
また、前記問題点を解決するために、この発明にあっては、リュックサック用バックルを、
背負いベルトを構成する、上端をリュックサック本体の上部に止着させて下方に延びる上部帯状体を上部通し部に通し、
前記背負いベルトを構成する、下端をリュックサック本体の下部に止着させて上方に延びる下部帯状体を下部通し部に通し、
かつ、一対の背負いベルト間に亘るストラップとなる帯状体を左右通し部に通すようにして備えているものとした。
【００１３】
かかるリュックサックにあっては、単一のバックルによって、上部帯状体を引き出し寸法の調整可能に上部通し部に通し留め付け、かつ、下部帯状体を引き出し寸法の調整可能に下部通し部に通し留め付けて、背負いベルトを構成させることができる。また、一対の背負いベルトにそれぞれ設けられた前記バックルを利用して、この一対の背負いベルト間にストラップとなる帯状体を張り込み可能に備えさせることができる。
【００１４】
前記リュックサックにおける背負いベルトが、パッド上端をリュックサック本体の上部に止着させたショルダーパッドを有しており、
このショルダーパッドの前面にバックルを配させていると共に、
このように配されたバックルに上部帯状体と下部帯状体とを通して一対の背負いベルトを構成させておくこともある。
【００１５】
このようにした場合、上部通し部に通された上部帯状体の引き出し寸法を調整してリュックサック本体の上部を必要な角度分前傾調整できると共に、ストラップとなる帯状体の張り込み位置を上下方向において一定範囲で調整することができ、
かつ、下部通し部に通された下部帯状体の引き出し寸法を調整して背負いベルトの長さを調整することができる。
【発明の効果】
【００１６】
この発明にかかるバックルにあっては、リュックサックを構成する、リュックサックの上下方向に長さ方向を沿わせるようにした向きで備えられる帯状体と、リュックサックの左右方向に長さ方向を沿わせるようにした向きで備えられる帯状体とを、前者の帯状体のバックルからの引き出し寸法を調整可能とした状態で、つなぎ合わせることができる。
【００１７】
また、この発明にかかるリュックサックにあっては、背負いベルトを構成する上部帯状体と、下部帯状体と、一対の背負いベルト間に亘るストラップとなる帯状体とを、複数のバックルを用いることなく、上部帯状体および下部帯状体のバックルからの引き出し寸法を調整可能とした状態で、適切につなぎ合わせ備えることができる。
【発明を実施するための最良の形態】
【００１８】
以下、図１ないし図１１に基づいて、この発明を実施するための最良の形態について説明する。
【００１９】
なお、ここで図１〜図９は、実施の形態にかかるバックルＧの一例をそれぞれ表しており、特に、図１〜図３は、かかるバックルＧの使用状態を示している。また、図１０は、かかるバックルＧを含んで構成されるリュックサックＲの背負い面側の様子を示しており、また、図１１は、実施の形態にかかるバックルＧの他の一例を示している。
【００２０】
この実施の形態にかかるバックルＧは、リュックサックＲに用いられて、かかるリュックサックＲが備える各種の帯状体Ｗ同士を、このバックルＧを介してつなぎ合わせるものである。
【００２１】
また、この実施の形態にかかるリュックサックＲは、かかるバックルＧを含んで構成された背負いベルト２００（ショルダーストラップ）を有するものである。
【００２２】
かかるバックルＧは、帯状体Ｗを通す上部通し部１と、下部通し部２と、左右通し部４、５とを備えている。
【００２３】
また、上部通し部１と下部通し部２とがそれぞれ、帯状体Ｗの掛け回し部３によって区分され、かつ、バックルＧの裏面６側から入れ込まれてこの掛け回し部３に掛け回すようにして再びバックルＧの裏面６側から引き出される帯状体Ｗの引き出し寸法を調整可能とした状態でこのように挿通された帯状体Ｗへの留め付けなすように構成されている。
【００２４】
これにより、かかるバックルＧによれば、リュックサックＲの上下方向に長さ方向を沿わせるようにした向きでこのリュックサックＲに備えられる二つの独立した帯状体ＷをバックルＧを介してバックルＧからの引き出し寸法、つまり、バックルＧによる留め付け位置調整可能につなぎ合わせることができると共に、リュックサックＲの左右方向に長さ方向を沿わせるようにした向きでこのリュックサックＲに備えられる帯状体ＷをバックルＧを介してリュックサックＲの上下方向に長さ方向を沿わせるようにした向きで備えられる帯状体Ｗにつなぎ合わせることができる。
【００２５】
図示の例では、かかるバックルＧは、主環部８と、この主環部８の左右両側にそれぞれ形成された補助環部９とを備えている。
【００２６】
主環部８は、上辺部８０と、下辺部８１と、この上辺部８０の右側端末と下辺部８１の右側端末との間に亘る右辺部８２と、この上辺部８０の左側端末と下辺部８１の左側端末との間に亘る左辺部８３とを有している。
【００２７】
上辺部８０は、バックルＧの表面７側から裏面６側に向かうに連れて次第に内方（つまり下方）に突き出すように傾斜した傾斜板部８０ａと、この傾斜板部８０ａにおけるバックルＧの表面７側に位置される端（以下、表端という。）から上方に向けて突き出す上部リップ部８０ｃとを有している。
【００２８】
下辺部８１は、バックルＧの表面７側から裏面６側に向かうに連れて次第に内方（つまり上方）に突き出すように傾斜した傾斜板部８１ａと、この傾斜板部８１ａの表端から下方に向けて突き出す下部リップ部８１ｃとを有している。
【００２９】
また、主環部８は、左右方向に長く延びる二本の棒状をなす掛け回し部３によって、その環内空間を上下方向において三つに区分されている。二本の掛け回し部３、３はそれぞれ、右端を右辺部８２の内面部に一体に連接させ、かつ、左端を左辺部８３の内面部に一体に連接させるようにして主環部８内に備えられている。図示の例では、二本の掛け回し部３、３のうちの上方に位置される掛け回し部３の上方にある空間と下方にある空間とがそれぞれ上部通し部１として機能し、かつ、二本の掛け回し部３、３のうちの下方に位置される掛け回し部３の上方にある空間と下方にある空間とがそれぞれ下部通し部２として機能するようになっている。図示の例では、上部通し部１を構成する上方に位置される掛け回し部３の下方にある空間と、下部通し部２を構成する下方に位置される掛け回し部３の上方にある空間とが、バックルＧの中央部において連通している。
【００３０】
掛け回し部３は、バックルＧの表面７を構成する表面７と、傾斜板部８０ａ、８１ａの側に向けられた一方側面３１との間に隅部３０を有している。この掛け回し部３の一方側面３１は、隅部３０より先において、傾斜板部８０ａ、８１ａとの間に帯状体Ｗの肉厚寸法と略等しいか、これより大きい隙間を形成させるように、傾斜板部８０ａ、８１ａに倣った傾斜を持っている。この掛け回し部３の一方側面３１のバックルＧの裏側に向けられた端部３２は傾斜板部８０ａ、８１ａにおけるバックルＧの裏面６側に位置される端（以下、裏端８０ｂ、８１ｂという。）よりも前方に位置されている。そして、図示の例では、掛け回し部３の隅部３０を通るバックルＧの表裏方向に沿った仮想の直線と、傾斜板部８０ａ、８１ａの裏端８０ｂ、８１ｂを通るバックルＧの表裏方向に沿った仮想の直線との間の間隔ｘが、帯状体Ｗの肉厚と略同じか、これよりもやや小さくなるように設定されている。
【００３１】
上部通し部１、および、下部通し部２のいずれにおいても、バックルＧの裏面６側から二つの掛け回し部３、３の間に通されてバックルＧの表面７側に引き出した後、掛け回し部３と傾斜板部８０ａ、８１ａとの間に通され再びバックルＧの裏面６側から引き出されて中間部Ｗ”とバックルＧの裏面６との間で引き出し部Ｗ’を挟み付けられるようにされた帯状体Ｗには、掛け回し部３の隅部３０と傾斜板部８０ａ、８１ａの裏端８０ｂ、８１ｂとが帯状体Ｗにテンションが作用されればされるほど強く突き立てられる。これにより、帯状体Ｗに対するバックルＧの留め付け状態は安定的に維持される。上部通し部１に通された帯状体Ｗの引き出し部Ｗ’の引き出し寸法を調整する場合には上部リップ部８０ｃを利用して、また、下部通し部２に通された帯状体Ｗの引き出し部Ｗ’の引き出し寸法を調整する場合には下部リップ部８１ｃを利用して、バックルＧの裏面６が通された帯状体Ｗの中間部Ｗ”から離れるようにバックルＧの上部側又は下部側を持ち上げるように操作する。このように操作すると、引き出し部Ｗ’に対する傾斜板部８０ａ、８１ａの裏端８０ｂ、８１ｂの突き立てが解かれて、この引き出し部Ｗ’の引き出し量を大きく、あるいは、小さくするように、帯状体Ｗを操作できるようになる。この引き出し量を調整した後、前記持ち上げ操作を止めると、引き出し部Ｗ’に対して再び傾斜板部８０ａ、８１ａの裏端８０ｂ、８１ｂが突き立てられ、調整後の状態が安定的に維持される。
【００３２】
一方、右側の補助環部９は、主環部８における右辺部８２との間に帯状体Ｗの右通し部５を形成させるようにして、上端部を主環部８の上辺部８０と右辺部８２との間のコーナーに一体に連接させ、かつ、下端部を主環部８の下辺部８１と右辺部８２との間のコーナーに一体に連接させて、この主環部８の右辺部８２と一緒に環を形成させる上下方向に長い棒状体によって構成されている。
【００３３】
また、左側の補助環部９は、主環部８における左辺部８３との間に帯状体Ｗの左通し部４を形成させるようにして、上端部を主環部８の上辺部８０と左辺部８３との間のコーナーに一体に連接させ、かつ、下端部を主環部８の下辺部８１と左辺部８３との間のコーナーに一体に連接させて、この主環部８の左辺部８３と一緒に環を形成させる上下方向に長い棒状体によって構成されている。
【００３４】
図示の例では、左右通し部４、５はいずれも、バックルＧを正面から見た状態において、主環部８の側を湾曲内側とするように、緩やかに湾曲した溝状ををなすように構成されている。
【００３５】
また、補助環部９はそれぞれ、主環部８の裏面６と略同面上にその裏面６を位置させると共に、主環部８の表面７よりもその表面７を裏側に低めるように構成されている。
【００３６】
このように構成される左右通し部４、５を利用して、リュックサックＲの左右方向に長さ方向を沿わせる向きで備えられる一本の帯状体Ｗを、バックルＧを介して、リュックサックＲの上下方向に長さ方向を沿わせる向きで備えられる帯状体Ｗに対し、つなぎ合わせることができる。すなわち、右通し部５に前記一本の帯状体ＷをバックルＧの表面７側から通して裏面６側に引き出し、主環部８の裏面６を通して左通し部４にバックルＧの裏面６側から通して表面７側に引き出すことで、この一本の帯状体Ｗの長さ方向、つまりは、左右方向にバックルＧをスライド移動可能な状態で、この一本の帯状体ＷにバックルＧを備えさせることができる。
【００３７】
また、右通し部５に一本の帯状体Ｗを通して引き出されたその引き出し部Ｗ’をその中間部Ｗ”に縫着などして止め付け、かつ、左通し部４に別の一本の帯状体Ｗを通して引き出されたその引き出し部Ｗ’をその中間部Ｗ”に縫着などして止め付けるようにすれば、バックルＧを介して独立した二本の帯状体Ｗをつなぎ合わせてリュックサックＲの左右方向に長さ方向を沿わせた帯状体Ｗを構成させることができる。
【００３８】
かかる左右通し部４、５の双方又はいずれか一方が、帯状体Ｗの掛け回し部によって区分され、かつ、バックルＧの裏面６側から入れ込まれてこの掛け回し部に掛け回すようにして再びバックルＧの裏面６側から引き出される帯状体Ｗの引き出し寸法を調整可能とした状態でこのように挿通された帯状体Ｗへの留め付けなすように構成させておくこともある。
【００３９】
例えば、左右通し部４、５を形作る補助環部９の上部と下部との間に亘るように、掛け回し部を形成させて左右通し部４、５を左右に二つに区分させることにより、この左右通し部４、５に通される帯状体Ｗをその引き出し寸法を調整可能に留め付けることができる。掛け回し部としては、前記上部通し部１および下部通し部２における掛け回し部３と実質的に同一の構成を備えたものを利用し、また、前記傾斜板部８０ａ、８１ａと実質的に同一の構成を備えた部分を補助環部９に形成させる。
【００４０】
このようにした場合、バックルＧを介してつなぎ合わされてリュックサックＲの左右方向に長さ方向を沿わせる向きでリュックサックＲに備えられた帯状体Ｗに対する、バックルＧの留め付け位置を必要に応じて調整可能とすることができる。
【００４１】
左右通し部４、５は、図１１に示されるように、上部通し部１と下部通し部２との間に、対をなす左右通し部４、５を二対以上形成させておくこともできる。このようにした場合、バックルＧを介して、リュックサックＲの上下方向に長さ方向を沿わせる向きでリュックサックＲに備えられた帯状体Ｗに対し、リュックサックＲの左右方向に長さ方向を沿わせる向きでリュックサックＲに備えられる帯状体Ｗを、上下に異なる位置において二本以上つなぎ合わせることができる。
【００４２】
この実施の形態にかかるリュックサックＲは、以上に説明したバックルＧに、次の各帯状体Ｗを次のように通して、構成されている。（図１０）
（１）背負いベルト２００を構成する、上端をリュックサックＲ本体の上部に止着させて下方に延びる上部帯状体Ｗａを上部通し部１に通し、
（２）前記背負いベルト２００を構成する、下端をリュックサックＲ本体の下部に止着させて上方に延びる下部帯状体Ｗｂを下部通し部２に通し、
（３）かつ、一対の背負いベルト２００間に亘るストラップとなる帯状体Ｗｃを左右通し部４、５に通している。
【００４３】
具体的には、図示の例にあっては、背負いベルト２００は、パッド上端をリュックサックＲ本体の背負い面の上部に止着させたショルダーパッド２０１の前面中央にバックルＧを配させていると共に、
このように配されたバックルＧに上部帯状体Ｗａと下部帯状体Ｗｂとをそれぞれ前記のように通してリュックサックＲの一対の背負いベルト２００をそれぞれ構成させている。
【００４４】
また、端部をショルダーパッド２０１を通すループ状に形成されたストラップとなる帯状体Ｗｃを、右側のショルダーパッド２０１の前面に配されたバックルＧの左右通し部４、５に通し、かつ、左側のショルダーパッド２０１の前面に配されたバックルＧの左右通し部４、５に通すことにより、かかるストラップとなる帯状体Ｗｃを一対の背負いベルト２００間に張り込めるようにしてある。図示の例では、かかるストラップとなる帯状体Ｗｃは、その長さ方向中程の位置において、分離可能に留め付けられる雌雄バックルよりなるバックルによりつなぎあわされている。
【００４５】
かかるリュックサックＲにあっては、単一のバックルＧによって、上部帯状体Ｗａを引き出し寸法の調整可能に上部通し部１に通し留め付け、かつ、下部帯状体Ｗｂを引き出し寸法の調整可能に下部通し部２に通し留め付けて、背負いベルト２００を構成させることができる。また、一対の背負いベルト２００にそれぞれ設けられた前記バックルＧを利用して、この一対の背負いベルト２００間にストラップとなる帯状体Ｗｃを張り込み可能に備えさせることができる。
【００４６】
特に、図示の例にあっては、背負いベルト２００がショルダーパッド２０１と上部帯状体Ｗａと下部帯状体Ｗｂの三点よりなっていることから、
上部通し部１に通された上部帯状体Ｗａの引き出し寸法を調整してリュックサックＲ本体の上部を必要な角度分前傾調整できると共に、ストラップとなる帯状体Ｗｃの張り込み位置を一定範囲で（図示の例では、ショルダーパッドに形成された上部帯状体Ｗａの引き出し部Ｗ’の通し部２０２と、下部帯状体Ｗｂの引き出し部Ｗ’の通し部２０３との間において）上下方向において調整することができ、
かつ、下部通し部２に通された下部帯状体Ｗｂの引き出し寸法を調整して背負いベルト２００の長さを調整することができる。
【図面の簡単な説明】
【００４７】
【図１】バックルＧの使用状態を示した正面図
【図２】図１におけるＡ−Ａ線断面図
【図３】図１におけるＢ−Ｂ線断面図
【図４】バックルＧの正面図
【図５】同背面図
【図６】同側面図
【図７】同側面図（図６と９０度異なる向きから視た側面図）
【図８】図４におけるＣ−Ｃ断面図
【図９】図４におけるＤ−Ｄ線断面図
【図１０】リュックサックＲの斜視構成図
【図１１】他の例にかかるバックルＧの正面構成図
【符号の説明】
【００４８】
Ｗ  帯状体
Ｒ  リュックサック
１  上部通し部
２  下部通し部
３  掛け回し部
４  左通し部
５  右通し部
【図１】
2006334213.tif 000003
【図２】
2006334213.tif 000004
【図３】
2006334213.tif 000005
【図４】
2006334213.tif 000006
【図５】
2006334213.tif 000007
【図６】
2006334213.tif 000008
【図７】
2006334213.tif 000009
【図８】
2006334213.tif 000010
【図９】
2006334213.tif 000011
【図１０】
2006334213.tif 000012
【図１１】
2006334213.tif 000013